(57)【要約】【課題】各種遊技状態に応じて表示装置自体にも動きを持たせることによって、新規な興趣を可能とする遊技機を提供する。【解決手段】遊技状態を表示する第一表示器５１（５１Ａ，５１Ｂ）及び第二表示器５２と、第二表示器の少なくとも一部を隠蔽することを可能にして第一表示器を移動する移動手段２０３を有する表示装置を備え、第一表示器が第二表示器の少なくとも一部を隠蔽する第一位置と、第一位置よりも第一表示器が第二表示器を隠蔽する度合いが少ない第二位置とを有し、移動手段によって第一表示器を少なくとも第一位置と第二位置との間で遊技状態の応じて選択して移動可能とする。【選択図】図８
2006304848.tif 000002
【特許請求の範囲】
【請求項１】
遊技状態を表示する第一表示器及び第二表示器と、前記第二表示器の少なくとも一部を隠蔽することを可能にして前記第一表示器を移動する移動手段を有する表示装置を備え、
前記第一表示器が前記第二表示器の少なくとも一部を隠蔽する第一位置と、前記第一位置よりも前記第一表示器が前記第二表示器を隠蔽する度合いが少ない第二位置とを有し、
前記移動手段によって前記第一表示器は少なくとも前記第一位置と前記第二位置との間を移動可能とすることを特徴とする遊技機。
【請求項２】
前記第一表示器が前記第一位置にある場合、前記第一表示器及び前記第二表示器は互いに重合する状態となることを特徴とする請求項１に記載の遊技機。
【請求項３】
前記第一表示器が前記第一位置にある場合、前記第一表示器が前記第二表示器を完全に隠蔽していることを特徴とする請求項１又は２に記載の遊技機。
【請求項４】
前記第一表示器が前記第二位置にある場合、前記第一表示器が前記第二表示器を完全に露出させていることを特徴とする請求項１ないし３のいずれか１項に記載の遊技機。
【請求項５】
前記第一表示器が前記第一位置もしくは前記第二位置となるかは、遊技状態に応じて選択されることを特徴とする請求項１ないし４のいずれか１項に記載の遊技機。
【請求項６】
前記第一表示器及び前記第二表示器の両表示器とも前記遊技状態を表示する表示領域を有しており、前記第一表示器が前記第二位置にある場合、前記第一表示器の表示領域と前記第二表示器の表示領域の少なくとも一部は連続的に連接することを特徴とする請求項１ないし５のいずれか１項に記載の遊技機。
【請求項７】
前記移動手段として前記第一表示器の一端部を軸支し前記第一表示器を回動させる回動手段を備え、前記第一表示器と前記第二表示器が互いに重合する状態から前記回動手段により前記第一表示器の一端部を回動軸にして前記第二表示器方向に向けて回動可能とするものであって、
前記第一表示器と前記第二表示器が重合している前記第一位置から、前記回動手段により前記第一表示器の一端部を回動軸にして前記第一表示器が前記第二表示器に向けて回動することにより移動して前記第二位置となることを特徴とする請求項１ないし６のいずれか１項に記載の遊技機。
【請求項８】
前記第一表示器は遊技状態を表示する独立した複数の副表示器を備え、前記移動手段により前記複数の副表示器は同時あるいは別々に前記第一位置と前記第二位置との間を移動可能とすることを特徴とする請求項１ないし６のいずれか１項に記載の遊技機。
【請求項９】
前記移動手段として前記複数の副表示器毎に備えられた各々の一端部を軸支して前記複数の副表示器を回動させる回動手段を備え、前記複数の副表示器と前記第二表示器が互いに重合する状態から前記回動手段により前記複数の副表示器毎に備えられた各々の一端部を回動軸にして前記第二表示器方向に向けて回動可能とするものであって、
前記複数の副表示器と前記第二表示器が重合している前記第一位置から、前記回動手段により前記複数の副表示器毎に備えられた各々の一端部を回動軸にして前記複数の副表示器が前記第二表示器に向けて回動することにより移動して前記第二位置となることを特徴とする請求項８に記載の遊技機。
【発明の詳細な説明】
【技術分野】
【０００１】
本発明は、遊技機に関し、特に遊技機の表示装置の構造に関する。
【背景技術】
【０００２】
通常、遊技機は、遊技の当否判定に利用される図柄の変動、各種遊技状態の演出等を遊技者に視認可能に表示する表示装置を備えている。このような表示装置では、いわゆる遊技状態の表示のみに留まるため、遊技者にとって、時間と共に興趣が薄れてしまうおそれがあった。
【０００３】
そこで、新しい興趣を創作すべく、表示装置の見え易さを遊技状態に応じて変化可能とする遊技機が提供されている（特許文献１参照）。前記特許文献１の遊技機によると、遊技機用表示部の目視領域を変化させるため、この遊技用表示部の一部を被覆する窓部分を有する開閉扉装置を備えている。すなわち、遊技機用表示部を開閉扉装置により被覆する状態と、外部に遊技機用表示部を露出させる状態との変化を見ることができる。
【０００４】
しかしながら、前記特許文献１の遊技機であっても、遊技機用表示部の目視領域の変化のみである。そのため、遊技者は、時間と共に単調さを感じやすくなり、興趣の薄れを避けることができなかった。
【特許文献１】特開２００４−２７５５８５号公報
【発明の開示】
【発明が解決しようとする課題】
【０００５】
本発明は、上記の状況に鑑み提案されたものであり、各種遊技状態に応じて表示装置自体にも動きを持たせることによって、新規な興趣を可能とする遊技機を提供する。
【課題を解決するための手段】
【０００６】
すなわち、請求項１の発明は、遊技状態を表示する第一表示器及び第二表示器と、前記第二表示器の少なくとも一部を隠蔽することを可能にして前記第一表示器を移動する移動手段を有する表示装置を備え、前記第一表示器が前記第二表示器の少なくとも一部を隠蔽する第一位置と、前記第一位置よりも前記第一表示器が前記第二表示器を隠蔽する度合いが少ない第二位置とを有し、前記移動手段によって前記第一表示器は少なくとも前記第一位置と前記第二位置との間を移動可能とすることを特徴とする遊技機に係る。
【０００７】
請求項２の発明は、前記第一表示器が前記第一位置にある場合、前記第一表示器及び前記第二表示器は互いに重合する状態となることを特徴とする請求項１に記載の遊技機に係る。
【０００８】
請求項３の発明は、前記第一表示器が前記第一位置にある場合、前記第一表示器が前記第二表示器を完全に隠蔽していることを特徴とする請求項１又は２に記載の遊技機に係る。
【０００９】
請求項４の発明は、前記第一表示器が前記第二位置にある場合、前記第一表示器が前記第二表示器を完全に露出させていることを特徴とする請求項１ないし３のいずれか１項に記載の遊技機に係る。
【００１０】
請求項５の発明は、前記第一表示器が前記第一位置もしくは前記第二位置となるかは、遊技状態に応じて選択されることを特徴とする請求項１ないし４のいずれか１項に記載の遊技機に係る。
【００１１】
請求項６の発明は、前記第一表示器及び前記第二表示器の両表示器とも前記遊技状態を表示する表示領域を有しており、前記第一表示器が前記第二位置にある場合、前記第一表示器の表示領域と前記第二表示器の表示領域の少なくとも一部は連続的に連接することを特徴とする請求項１ないし５のいずれか１項に記載の遊技機に係る。
【００１２】
請求項７の発明は、前記移動手段として前記第一表示器の一端部を軸支し前記第一表示器を回動させる回動手段を備え、前記第一表示器と前記第二表示器が互いに重合する状態から前記回動手段により前記第一表示器の一端部を回動軸にして前記第二表示器方向に向けて回動可能とするものであって、前記第一表示器と前記第二表示器が重合している前記第一位置から、前記回動手段により前記第一表示器の一端部を回動軸にして前記第一表示器が前記第二表示器に向けて回動することにより移動して前記第二位置となることを特徴とする請求項１ないし６のいずれか１項に記載の遊技機に係る。
【００１３】
請求項８の発明は、前記第一表示器は遊技状態を表示する独立した複数の副表示器を備え、前記移動手段により前記複数の副表示器は同時あるいは別々に前記第一位置と前記第二位置との間を移動可能とすることを特徴とする請求項１ないし６のいずれか１項に記載の遊技機に係る。
【００１４】
請求項９の発明は、前記移動手段として前記複数の副表示器毎に備えられた各々の一端部を軸支して前記複数の副表示器を回動させる回動手段を備え、前記複数の副表示器と前記第二表示器が互いに重合する状態から前記回動手段により前記複数の副表示器毎に備えられた各々の一端部を回動軸にして前記第二表示器方向に向けて回動可能とするものであって、前記複数の副表示器と前記第二表示器が重合している前記第一位置から、前記回動手段により前記複数の副表示器毎に備えられた各々の一端部を回動軸にして前記複数の副表示器が前記第二表示器に向けて回動することにより移動して前記第二位置となることを特徴とする請求項８に記載の遊技機に係る。
【発明の効果】
【００１５】
請求項１の発明に係る遊技機によると、遊技状態を表示する第一表示器及び第二表示器と、前記第二表示器の少なくとも一部を隠蔽することを可能にして前記第一表示器を移動する移動手段を有する表示装置を備え、前記第一表示器が前記第二表示器の少なくとも一部を隠蔽する第一位置と、前記第一位置よりも前記第一表示器が前記第二表示器を隠蔽する度合いが少ない第二位置とを有し、前記移動手段によって前記第一表示器は少なくとも前記第一位置と前記第二位置との間を移動可能とするため、表示装置に新規な興趣を付与することができる。
【００１６】
請求項２の発明に係る遊技機によると、請求項１の発明において、前記第一表示器が前記第一位置にある場合、前記第一表示器及び前記第二表示器は互いに重合する状態となるため、第二表示器の少なくとも一部は第一表示器により隠蔽される。
【００１７】
請求項３の発明に係る遊技機によると、請求項１又は２の発明において、前記第一表示器が前記第一位置にある場合、前記第一表示器が前記第二表示器を完全に隠蔽しているため、遊技者は第一表示器のみを視認することが可能である。
【００１８】
請求項４の発明に係る遊技機によると、請求項１ないし３のいずれか１項の発明において、前記第一表示器が前記第二位置にある場合、前記第一表示器が前記第二表示器を完全に露出させているため、遊技者は第二表示器を十分に視認することができる。
【００１９】
請求項５の発明に係る遊技機によると、請求項１ないし４のいずれか１項の発明において、前記第一表示器が前記第一位置もしくは前記第二位置となるかは、遊技状態に応じて選択されるため、各種遊技状態に応じた表示装置自体の動きにより、遊技者は新規な興趣を得ることができる。
【００２０】
請求項６の発明に係る遊技機によると、請求項１ないし５のいずれか１項の発明において、前記第一表示器及び前記第二表示器の両表示器とも前記遊技状態を表示する表示領域を有しており、前記第一表示器が前記第二位置にある場合、前記第一表示器の表示領域と前記第二表示器の表示領域の少なくとも一部は連続的に連接するため、第一表示器の位置いかんにより、異なった表示領域を構成することができ、表示装置の興趣を高めることができる。
【００２１】
請求項７の発明に係る遊技機によると、請求項１ないし６のいずれか１項の発明において、前記移動手段として前記第一表示器の一端部を軸支し前記第一表示器を回動させる回動手段を備え、前記第一表示器と前記第二表示器が互いに重合する状態から前記回動手段により前記第一表示器の一端部を回動軸にして前記第二表示器方向に向けて回動可能とするものであって、前記第一表示器と前記第二表示器が重合している前記第一位置から、前記回動手段により前記第一表示器の一端部を回動軸にして前記第一表示器が前記第二表示器に向けて回動することにより移動して前記第二位置となるため、表示装置内における第一表示器の移動が簡便となり、表示装置の興趣を高めることができる。
【００２２】
請求項８の発明に係る遊技機によると、請求項１ないし６のいずれか１項の発明において、前記第一表示器は遊技状態を表示する独立した複数の副表示器を備え、前記移動手段により前記複数の副表示器は同時あるいは別々に前記第一位置と前記第二位置との間を移動可能とするため、表示装置内における第一表示器の構成を多様化することができ、いっそうの表示装置の興趣を高めることができる。
【００２３】
請求項９の発明に係る遊技機によると、請求項８の発明において、前記移動手段として前記複数の副表示器毎に備えられた各々の一端部を軸支して前記複数の副表示器を回動させる回動手段を備え、前記複数の副表示器と前記第二表示器が互いに重合する状態から前記回動手段により前記複数の副表示器毎に備えられた各々の一端部を回動軸にして前記第二表示器方向に向けて回動可能とするものであって、前記複数の副表示器と前記第二表示器が重合している前記第一位置から、前記回動手段により前記複数の副表示器毎に備えられた各々の一端部を回動軸にして前記複数の副表示器が前記第二表示器に向けて回動することにより移動して前記第二位置となるため、表示装置内における各々の副表示器の移動が簡便となり、表示装置の興趣を高めることができる。
【発明を実施するための最良の形態】
【００２４】
以下添付の図面に基づき本発明の好適な実施形態を説明する。図１は本発明の一実施例に係る遊技機全体の正面図、図２は同遊技機全体の裏面図、図３は同遊技機の制御系を簡略に示すブロック図、図４は第一表示器が第一位置にある遊技盤の全体正面図、図５は第一表示器が第二位置にある遊技盤の全体正面図、図６は図柄表示装置の背面斜視図、図７は図柄表示装置の分解斜視図、図８は図５のＡ−Ａ線における図柄表示装置の構造断面図、図９は図柄表示装置の左側面図、図１０は図柄表示装置の底面側、図１１は図８のＱ部分の部分拡大図、図１２は遊技状態移行処理に関するフローチャート、図１３はモータ駆動処理に関するフローチャート、図１４は第一表示器が第一位置のときの画像表示例、図１５は第一表示器が第二位置のときの画像表示例である。
【００２５】
図１に示す実施例の遊技機１は、パチンコ遊技機を示す。遊技機１の遊技盤３の縁に遊技球の外側誘導レール４及び内側誘導レール５が略円形に立設され、前記内側誘導レール５によって囲まれた遊技領域６の中心線上にその上部から下部に向かって順に表示装置９、普通電動役物である始動入賞口１１、特別電動役物である大入賞口１５、アウト口１７が配設されている。表示装置９の下方に風車２２ａ，２２ｂ、普通図柄変動開始用左ゲート１９及び普通図柄変動開始用右ゲート２１、その両側に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞球として払い出される。また、判定結果が当たり（この実施例では大当たり）となると、所定の特別遊技状態となって大入賞口１５が開放され、遊技球が入賞し易い状態となる。また、普通図柄変動開始用ゲート１９，２１の検出信号により取得される普通図柄の当たり外れに関係する数値が所定値となった場合、始動入賞口１１が拡大開放状態となる。
【００２６】
前記遊技盤３の前面側には払い出された遊技球を受けるための上側球受け皿３２、該上側球受け皿３２を取り付けるための取付板３３、前記上側球受け皿３２の飽和時に遊技球を受けるための下側球受け皿３４、遊技状態を報知するランプ表示器３５，３６、音声や効果音を発して遊技状態を遊技者に報知するスピーカ３７、遊技者の発射操作に応じて遊技球を遊技領域６に向けて弾発発射する発射装置Ｈ等がそれぞれ組み付けられている。符号Ｃｕはカードユニットである。
【００２７】
表示装置９の図柄表示装置２００は、第一表示器５１（実施例では独立した複数の副表示器）と第二表示器５２（図５等参照）から形成され、液晶、ドットマトリックス、セグメント式もしくはＬＥＤ表示装置、有機ＥＬ表示装置、薄膜パネル等の電気的に制御可能な表示装置からなる。この実施例ではカラー表示可能な液晶表示器（ＴＦＴ−ＬＣＤモジュール）からなる表示領域５５１，５５２，５５３（図４，５参照）を備えている。
【００２８】
第一表示器５１及び第二表示器５２は、各種の遊技状態を表示するものであって、数字、アルファベット、記号あるいは絵（キャラクタ）等の普通図柄または特別図柄を変動表示及び停止表示可能としている。さらに第一表示器５１もしくは第二表示器５２のいずれかあるいは両方の表示領域には、左特別図柄、中特別図柄、右特別図柄が、それぞれ判定図柄として、変動表示及び停止表示可能とされている。この実施例の表示領域に表示される特別図柄は、‘０’，‘１’，‘２’，‘３’，‘４’，‘５’，‘６’，‘７’，‘８’，‘９’，‘１０’，‘１１’の１２とおりの図柄である。第一表示器５１（特には表示領域）は、いずれかの副表示器の左下方の隅に普通図柄表示領域（図示せず）を有しており、普通図柄が該表示領域で所定時間（この実施例では５０秒）変動した後に停止図柄で停止表示される。
【００２９】
また、第一表示器５１及び第二表示器５２の表示領域には、特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。
【００３０】
始動入賞口１１は表示装置９の真下に設けられ、二つの可動片１１ａ，１１ｂが背面の始動入賞口用ソレノイドによって通常状態である略垂直の狭小開放状態と略Ｖ字形の拡大開放状態間を変化可能に制御されている。始動入賞口１１の拡大開放は、普通図柄表示領域の普通図柄が変動停止して特定の図柄が表示された普通図柄当たりとなったときに行われる。この実施例では、遊技状態時に普通図柄表示領域の停止図柄が特定図柄で停止表示された場合には、０．４秒間の始動入賞口１１の拡大開放を１回行う。
【００３１】
始動入賞口１１の背面には、該始動入賞口１１に入賞した球を検出する特別図柄変動開始スイッチが入賞球の通路に設けられており、該入賞球の検出によって遊技の当たり外れに関係する数値を取得し、前記の第一表示器５１及び第二表示器５２の表示領域では、その数値に対応する図柄の変動を開始するようになっている。
【００３２】
普通図柄変動開始用左ゲート１９及び普通図柄変動開始用右ゲート２１は始動入賞口１１の左右に設けられ、普通図柄変動開始スイッチを備え、該普通図柄変動開始スイッチで両ゲート１９，２１を通過する遊技球を検出することによって普通図柄の当たり外れに関係する数値を取得し、普通図柄表示領域の普通図柄の変動を開始させるようになっている。また、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する入賞口背面に設けられている。
【００３３】
大入賞口１５は始動入賞口１１の下方に設けられ、大入賞口開放用ソレノイドと該ソレノイドによって開閉する開閉板とを備えている。この大入賞口１５は、通常は開閉板が閉じた状態とされ、当該大入賞口１５の内部には、大入賞口１５の開放と同時に開放して入賞可能にする特定領域入賞口を有する。さらに、特定領域入賞口には、所定条件時に特定領域開放用ソレノイドにより開閉される開閉扉が設けられている。また、前記特定領域入賞口には特定入賞球を検出する特定入賞球検出スイッチが設けられ、該入賞球の検出により大入賞口１５を再度開ける継続権利が成立するようにされている。また、大入賞口１５内の略中央には、前記大入賞口１５に入賞しかつ前記特定領域入賞口に入賞しなかった入賞球を検出する入賞球数カウントスイッチが設けられている。
【００３４】
図柄表示装置２００（第一表示器５１及び第二表示器５２）の作動及び大入賞口１５の作動、つまり特別遊技実行時（大当たり成立時）の動作について説明する。この特別遊技は、通常遊技とは異なり遊技者に遊技上の特典を付与するものである。この特別遊技は、後述の主制御回路１４０によって、所定の確率に設定された特別遊技実行判定確率に基づいて判定条件の成立毎に実行されるか否かが判定される。前記のように始動入賞口１１に遊技球が入賞し、特別図柄変動開始スイッチによって入賞球が検出されると、特別図柄変動開始スイッチにより入賞信号が主制御回路１４０（図３参照）へ送られる。それに伴い、主制御回路１４０の各種の乱数値が取得（抽出）され、その取得数値が主制御回路１４０のＲＡＭの特別図柄乱数記憶領域等に一旦格納される。
【００３５】
当該格納された各乱数値に基づいて大当たりの判定、確定停止図柄の決定（作成）、リーチの有無決定、図柄変動・停止パターン、装飾図柄の種類の決定、さらには、第一表示器５１と第二表示器５２との位置関係（図１４、図１５等に示す第一位置または第二位置）の決定等が行われ、図柄表示装置２００（第一表示器５１及び第二表示器５２の表示領域）における特別図柄の変動を開始する。
【００３６】
特別図柄の変動開始から所定時間変動後、例えば、左特別図柄、右特別図柄、中特別図柄の順で各特別図柄が変動停止し、停止図柄として確定停止表示される。その際、決定された停止図柄及び図柄変動・停止パターン等によっては、リーチ状態が成立することがある。ここで、リーチ状態とは、表示領域で特別図柄の変動表示が開始された後、表示制御が進行して表示結果が停止表示される前段階において、特定の表示態様、つまり大当たりの組合せが表示され易い可変表示態様となったと遊技者に思わせるための表示態様をいう。この実施例では、リーチ状態の１つとして、第一表示器５１の表示領域のうち、最終停止図柄（ここでは中特別図柄）だけを残して、残りの二つの特別図柄が特定の組合せ（例えば同一図柄）となるように停止表示するリーチ変動表示処理がなされている。
【００３７】
また、前記のリーチ状態時には、各表示領域における特別図柄（主に最終停止特別図柄）の変動時間を長くしたり、各表示領域における特別図柄の背後に表示される背景画像を変化させたり、各表示領域上にキャラクタや文字を表示する等の複数の画像情報からなる表示態様（リーチアクション等）の中から選択されたリーチアクション等が演出されるようになっている。なお、前記リーチ状態になる前に、このようなリーチ状態になる可能性または大当たりになる可能性が高いことを報知する予告（予兆）が演出されるようにしても良い。予告としては、画像表示部５０上へのキャラクタ表示や残像表示等が挙げられる。
【００３８】
停止特別図柄の組合せが、同一図柄の組合せからなる大当たり図柄組合せである場合、大当たり（特別遊技）に移行する。大当たり状態（特別遊技状態）になると、大入賞口１５の開閉板が開いて遊技領域６表面を落下してくる遊技球を受け止め、大入賞口１５へ入賞可能にし、大入賞口１５への入賞があると、図示しない賞球払出装置により所定数の遊技球が賞球として払い出される。開閉板は、所定時間（例えば２９．５秒）経過後、あるいは入賞球数カウントスイッチで検出された入賞球数が所定個数（例えば１０個）となった時点で閉じるようにされている。なお、前記入賞球数カウントスイッチで検出された入賞球数は、適宜表示領域に、０〜１０までの数字または棒グラフのように表示されるようになっている。
【００３９】
大入賞口１５の開放中または同大入賞口１５が閉じてから約２秒以内に、特定領域入賞口への入賞球を特定入賞球検出スイッチｓｗ（図３参照）が検出すると、前記大当たりを再度繰り返す継続権利が発生し、所定最高回数（例えば最高１５回または１３回）、前記開閉板６１の開放を繰り返すようになっている。なお、実施例では、大当たり成立時における大当たり図柄の組合せが特定の図柄組合せ、具体的には‘１’，‘３’，‘５’，‘７’，‘９’，‘１１’の何れかのぞろ目であるときには、前記大当たり継続権利の発生する最高回数、いわゆるラウンド数が１３回となり、一方、大当たり図柄の組合せが‘０’，‘２’，‘４’，‘６’，‘８’，‘１０’の何れかのぞろ目であるときには、ラウンド数が１５回となる。
【００４０】
さらに、この実施例の遊技機１では、大当たり（特別遊技もしくは当たり遊技）終了後に当該大当たりの特典とは異なる特典を遊技者に付与する「特典遊技」が実行される。具体的には、この遊技機１は、確率変動（確変）機能を備えた機種であり、大当たり成立時に確定停止表示される当たり図柄組合せが確変図柄組合せ（‘１’，‘３’，‘５’，‘７’，‘９’，‘１１’のいずれかのぞろ目）であるときには、大当たり終了後に確率変動が生じ、すなわち次回の大当たり発生確率が平時における通常遊技状態（通常確率状態、２／６３０）よりも高い確率変動状態（高確率状態、１０／６３０）に移行される。一方、確定停止表示される当たり図柄組合せが前記の確変図柄組合せでないときには、大当たり終了後は、通常遊技状態（通常確率状態、２／６３０）とされる。なお、確率変動状態は次回の大当たりまで継続する。
【００４１】
また、実施例では、確変図柄組合せで大当たりして、当該大当たり後の特典遊技実行による確率変動状態時には、始動入賞口１０への入賞率を向上させて大当たり当否判定の機会が増大するようにされている。すなわち、普通図柄当たり（小当たり）による始動入賞口１０（可動部材１１ａ，１１ｂ）の拡大開放時間を長くする他、普通図柄表示領域の普通図柄の変動時間を短縮する等により始動入賞口１０（可動部材１１ａ，１１ｂ）の拡開開放状態の発生頻度を多くする等によるものである。なお、確率変動状態時並びに判定機会増大状態時に、再び、確変図柄組合せで大当たりが成立した場合には、その大当たり終了後に再度確率変動状態並びに判定機会増大状態になる。
【００４２】
このように、大当たり継続権利発生、ラウンド数等の特別遊技実行時における賞価値や、確率変動や判定機会増大等の特典遊技による特典価値等のような、遊技者に与える遊技価値（大当たり態様）が、確定停止表示される当たり図柄組合せにおける図柄によって変化するようにすれば、当たり図柄組合せに対する遊技者の興味を増し、遊技の幅を広げ、遊技をより一層面白くすることができる。
【００４３】
この遊技機１は、図２に示す裏機構を備えている。図中の符号１０１は遊技球を貯留する貯留タンク、１０２はタンクレール、１０４は枠用外部出力端子基板、１０５はランプ中継基板、１０６は受電基板、１０７は賞球センサ中継基板、１１０は盤面用外部出力端子基板、１１１は中継基板、１１２は音声制御基板、１１３はＦＧ中継基板、１１４は電源基板、１１５はランプ制御基板、１１８は払出制御基板、１１９は発射装置制御基板、１２１は主制御基板、１２２はカードインターフェイス接続部、１２３，１２４は電源プラグ、１６１は図柄制御基板、Ｇは接地線である。
【００４４】
主制御回路１４０は、図３に示すように、ＣＰＵ，ＲＡＭ，ＲＯＭ，複数のカウンタを備えたコンピュータと、該コンピュータから送信された制御信号を受信し、その制御信号に基づいて所定の処理を行う表示制御回路１５０等を結ぶ入出力回路と、前記コンピュータと大入賞口１５に接続される第一中継回路やランプ制御回路１６０等を結ぶ入出力回路等で構成される。前記ＣＰＵは、制御部，演算部，各種カウンタ，各種レジスタ，各種フラグ等を備え、演算制御を行う他、大当たりの発生確率や小当たり（始動入賞口１１の拡開開放を行う普通図柄当たり）の発生確率を定める乱数等も生成している。また、前記ＲＡＭは、特別図柄変動開始スイッチの検出信号及び普通図柄変動開始スイッチの検出信号に関する記憶領域，ＣＰＵで生成される各種乱数値用の記憶領域，各種データを一時的に記憶する記憶領域やフラグ，ＣＰＵの作業領域を備えている。さらに、前記ＲＯＭには、遊技上の制御プログラムや制御データが書き込まれている他、各遊技状態における大当たり及び小当たりの判定値等が書き込まれている。符号９５は賞球払出装置、９６は球貸装置、１６０はランプ制御回路である。
【００４５】
表示制御回路１５０には、主制御回路１４０からの制御信号に基づいて所定の表示制御処理を行うサブ制御回路に相当し、ＣＰＵ、ＲＯＭ、ＲＡＭが適式に備えられる。また、表示制御回路１５０は、主制御回路１４０と共に図柄表示装置に相当し、前記表示装置９（第一表示器５１（左副表示器５１Ａ，右副表示器５１Ｂ）の左右表示領域５５１，５５３、及び第二表示器５２の奥表示領域５５２）に表示される遊技画像（特別図柄、普通図柄、図示はしないキャラクタ、風景等の背景画像、報知する比較情報等）の表示制御に関する信号を主制御回路１４０から受信し、表示用データを設定して表示制御を行う。
【００４６】
第一表示器５１である左副表示器５１Ａ及び右副表示器５１Ｂ（図７等参照）を駆動させる左駆動モータ２０３及び右駆動モータ２０４は、表示装置９内に備えられ、表示制御回路１５０を介して駆動制御される。すなわち、各表示領域５５１，５５３，５５２にて表示されている遊技状態に応じて両駆動モータ２０３，２０４の駆動は制御される。また、左副表示器検出スイッチ２１１，２１３及び右副表示器検出スイッチ２１２，２１４は主制御回路１４０に接続され、各駆動モータ２０３，２０４の回動位置の確認、制御に用いられる。
【００４７】
図４及び図５の遊技盤の正面図を用い、表示装置における各表示器とその位置関係を説明する。図４に示す遊技盤の表示装置９において、図柄表示装置２００の視認可能部位を第一表示器５１が占めている。この第一表示器５１は独立した複数の副表示器である左副表示器５１Ａ及び右副表示器５１Ｂの２箇所から構成されている。次に示す図５との対比から判るように、第二表示器５２の少なくとも一部、特に実施例においては第二表示器の全部は遊技者側から見て隠蔽されている。このように、第一表示器５１（左副表示器５１Ａ及び右副表示器５１Ｂ）と第二表示器５２との位置関係は、第一位置である。
【００４８】
図示の左副表示器５１Ａにおいて遊技者と対面し、画像を表示する面は左表示領域５５１である。また、左副表示器５１Ａには左表示領域５５１（液晶部材）を保護するための左収容ケース５０１が備えられる。同じく右副表示器５１Ｂにおいて遊技者と対面し、画像を表示する面は右表示領域５５３である。右副表示器５１Ｂにも右表示領域５５３（液晶部材）を保護するための右収容ケース５０３が備えられる。左収容ケース５０１と右収容ケース５０３との間には図示しない板ゴム製のパッキン、磁石等の介挿材、直線上の突部と溝部の組み合わせ構造等が視認防止部として設けられ、第一表示器が第一位置にあるとき、第二表示器５２（奥表示領域５５２）の画像は完全に視認できなくなる。
【００４９】
図５に示す遊技盤の表示装置９において、図柄表示装置２００の視認可能部位を第一表示器５１及び第二表示器５２が占めている。図示から理解されるように、前記の第一位置よりも、第一表示器５１（左副表示器５１Ａ及び右副表示器５１Ｂ）が第二表示器５２を隠蔽している度合いが少ない位置関係は、第二位置とされる。すなわち、遊技者が表示装置９（図柄表示装置２００）と対面した際に、第二表示器５２が第一表示器５１により覆われている見かけ上の面積は小さくなる。なお、実施例において、第一表示器５１（左副表示器５１Ａ及び右副表示器５１Ｂ）が第二位置にある場合、当該第一表示器（両副表示器）は第二表示器を完全に露出させている。第二表示器５２にて遊技者と対面して画像を表示する面は奥表示領域５５２である。
【００５０】
次に、図６及び図７を用い、図柄表示装置の主要な構造を説明する。図６において、図柄表示装置２００は遊技盤３の背面側３ｂから、同遊技盤の開口部３ｏに取り付けられる。図柄表示装置２００は略枠形状の台板２０１を有し、この台板２０１内に遊技盤３の正面側から順に左副表示器５１Ａ、右副表示器５１Ｂは回動可能に取り付けられ、さらにその奥（図示にて紙面手前）に第二表示器５２が取り付けられている。図示の第一表示器と第二表示器の位置関係は、前述の第一位置を表す。図示のとおり、第一表示器５１が第一位置である場合、遊技盤３の前面側（遊技領域側）から順に、左副表示器５１Ａ及び右副表示器５１Ｂ、さらに第二表示器５２と積み重なって配置されているため、第一表示器及び第二表示器は互いに重合する状態にある。
【００５１】
図柄表示装置２００の台板２０１の上部には、左駆動モータ２０３、右駆動モータ２０４が設置される。両駆動モータ２０３，２０４は第一表示器を第一位置と第二位置に移動させる移動手段である。特に実施例において、左副表示器５１Ａ及び右副表示器５１Ｂを回動可能としていることから、両駆動モータ２０３，２０４は回動手段となる。左駆動モータ２０３の回動力は左駆動歯車２３１に伝達され、左副表示器５１Ａの回動が行われる。同じく、右駆動モータ２０４の回動力は右駆動歯車２３２に伝達され、右副表示器５１Ｂの回動が行われる。図中、符号２１１は左副表示器検出スイッチ、２１２，２１４は右副表示器検出スイッチである。
【００５２】
図７を用い、図柄表示装置２００の構造をさらに詳述する。左駆動モータ２０３は左モータ台２０５上に載置され、同モータ２０３の図示しないモータのシャフトに左伝達歯車２０７が接続される。左駆動モータ２０３及び左モータ台２０５の一体物は台板２０１の上面２０１ｕにビス等により固定される。同様に、右駆動モータ２０４は右モータ台２０６上に載置され、同モータ２０４の図示しないモータのシャフトに右伝達歯車２０８が接続される。右駆動モータ２０４及び右モータ台２０６の一体物も台板２０１の上面２０１ｕにビス等により固定される。
【００５３】
左副表示器５１Ａの各々の一端部、実施例ではその上部と下部に回動軸２２１及び回動軸２２３が同一直線となるように設けられている。当該回動軸２２１，２２３の軸径より僅かに内径を大とする軸摺動リング２３５が上下の両回動軸に遊嵌される。左副表示器５１Ａの上部に突設されている回動軸２２１には、左駆動歯車２３１が取り付けられる。左副表示器５１Ａの回動軸２２１，２２３は軸摺動リング２３５を伴って、台板２０１に形成された凹部である係合部２２０に回動自在に嵌着される（填め合わされる）。
【００５４】
右副表示器５１Ｂの各々の一端部、実施例ではその上部と下部にも回動軸２２２及び回動軸２２４（図１０参照）が同一直線となるように設けられ、軸摺動リング２３５が上下の両回動軸に遊嵌される。右副表示器５１Ｂの上部に突設されている回動軸２２２には、右駆動歯車２３２が取り付けられる。右副表示器５１Ｂの回動軸２２２，２２４は軸摺動リング２３５を伴って、台板２０１に形成された凹部である係合部２２０に回動自在に嵌着される（填め合わされる）。その後、固定部材２４１，２４２，２４３，２４４により、回動軸２２１，２２２，２２３，２２４は係合部２２０内に軸支されながら挟み込まれ、左副表示器５１Ａ及び右表示器５１Ｂは台板２０１に固定される。
【００５５】
むろん、左伝達歯車２０７と左駆動歯車２３１は歯合し、及び右伝達歯車２０８と右駆動歯車２３２は歯合している。そのため、確実に駆動モータの回転が回動軸を介して両副表示器に伝達される。また、軸摺動リングを各回動軸に填め合わせているため、回動軸自体に生じる摩擦は低減され、副表示器の回動が滑らかになる。
【００５６】
左副表示器５１Ａの上部には、左検出接点２５１が備えられている。この左検出接点２５１と左副表示器検出スイッチ２１１，２１３により、左副表示器５１Ａの回動の始点及び終点が規定される。同様に、右副表示器５１Ｂの上部には、右検出接点２５２が備えられている。この右検出接点２５２と右副表示器検出スイッチ２１２，２１４により、右副表示器５１Ｂの回動の始点及び終点が規定される。従って、回動量（モータの回転時間等）いかんにより、左副表示器５１Ａ及び右副表示器５１Ｂが第一位置を超え、さらに遊技盤３に突き出るおそれはなくなる。また、左副表示器５１Ａ及び右副表示器５１Ｂが第二位置を超え、第二表示器５２と接触して破損させるおそれもなくなる。すなわち、左副表示器５１Ａ及び右副表示器５１Ｂの安全な回動量（移動量）が保証される。
【００５７】
台板２０１の上下の中央部分には台板側接続部２４５，２４６が設けられ、この接続部に対して第二表示器５２の表示器側接続部２４７，２４８が接続固定される。台板側接続部と表示器側接続部はスライド自在な構造であり、必要により第二表示器５２の接続位置（奥行き）が調整される。
【００５８】
実施例のとおり左右２個の駆動モータを用いて各々の副表示器を同時に回動させている。あるいは、駆動モータの動作に差を付けて左副表示器５１Ａ及び右副表示器５１Ｂを別々に回動させることもできる。この他、１個の駆動モータとしながら、適宜歯車を組み合わせて各々の副表示器を回動させることもできる。また、実施例の駆動モータは直流モータを用い副表示器検出スイッチの検出に応じて回転方向の調節、始動及び停止が行われている。これとは別に、公知のステッピングモータ、超音波モータ等を用いることにより、副表示器検出スイッチを省略しても回動方向、位置等を正確に制御することが可能である。
【００５９】
図８は図５のＡ−Ａ線における構造断面図であり、同図８を用い第一表示器５１（左副表示器５１Ａ及び右副表示器５１Ｂ）の回動の様子を説明する。第一表示器５１が第一位置にあるときとは、図示の二点鎖線で示す右副表示器５１Ｂの位置である。図示を省略するが左副表示器５１Ａも同様である。当該第一位置において、第一表示器５１の表示領域と第二表示器５２の表示領域は紙面上では平行を成しており、互いの表示器同士は重合しているといえる。
【００６０】
第一表示器５１が第一位置にあるとき、左副表示器５１Ａの左検出接点２５１は左副表示器検出スイッチ２１３と接触している。同じく、右副表示器５１Ｂの右検出接点２５２も右副表示器検出スイッチ２１４と接触している。前記の左駆動モータ２０３の回転に伴い、左副表示器５１Ａの回動軸２２１が回動し始める。そして、左副表示器５１Ａは図示の反時計回りの回動につれて表示器同士の重合されている状態は解除されて行く。その後、左検出接点２５１は左副表示器検出スイッチ２１１と接触することとなり、左副表示器の回動は停止する。右副表示器５１Ｂも同様に、回動軸２２２の回動に伴い、右副表示器５１Ｂは図示の時計回りの回動につれて表示器同士の重合されている状態は解除されて行く。そして右検出接点２５２は右副表示器検出スイッチ２１２と接触することとなり、右副表示器の回動は停止する。
【００６１】
つまり、第一位置とは、左副表示器検出スイッチ２１３と左検出接点２５１が接触し、右副表示器検出スイッチ２１４と右検出接点２５２が接触している状態である。当該第一位置の位置関係より両副表示器５１Ａ，５１Ｂが第二表示器５２方向に向けて回動し、左検出接点２５１が左副表示器検出スイッチ２１１と接触し、右検出接点２５２が右副表示器検出スイッチ２１２と接触する状態が第二位置となる。
【００６２】
左副表示器５１Ａの左収容ケース５０１には、液晶部材５１１、液晶表示制御基板５２１が収容されている。他の表示器においても同様に、右副表示器５１Ｂの右収容ケース５０３には、液晶部材５１３、液晶表示制御基板５２３が収容され、第二副表示器５２の奥収容ケース５０２には、液晶部材５１２、液晶表示制御基板５２２が収容されている。符号９Ｄは表示装置の装飾体である。
【００６３】
図９の左側面図から判るように、右駆動モータ２０４のシャフトＳに接続される右伝達歯車２０８と右駆動歯車２３２は歯合している。そのため、右駆動モータ２０４の回転が確実に回動軸２２２に伝達され、右副表示器５１Ｂの第一位置と第二位置との回動は行われる。図示の構造は左副表示器５１Ａについても同様である。
【００６４】
図１０は図柄表示装置２００の底面側を示し、第一表示器５１（左副表示器５１Ａ及び右副表示器５１Ｂ）は第二位置にある。当該第二位置にあるとき、表示領域の少なくとも一部、実施例では図示の左表示領域５５１、右表示領域５５３、及び奥表示領域５５２は、その左収容ケース５０１、右収容ケース５０３、及び奥収容ケース５０２同士により各表示領域の全てが略コの字形状で連続的に連接している。前記の各収容ケースは、金属製の枠体からなり、その遊技者側に対面する側（図示の眼Ｅと向き合う側）に前記の液晶部材５１１，５１２，５１３が配置される。
【００６５】
このため、左副表示器５１Ａ、右副表示器５１Ｂ、及び第二表示器５２のそれぞれの表示領域は、あたかも一つにつながったように見ることができる。図１１（図８のＱ部分）を用い、各表示器の一つながりの状態（第二位置）を説明する。右副表示器５１Ｂの右収容ケース５０３にある端部５６３と、第二表示器５２の奥収容ケース５０２にある端部５６２同士は、互いに当接することにより各表示器の収容ケース同士は連続的に連接されている。双方の端部は連接部材となる。
【００６６】
奥収容ケース５０２の係合突起部５７０は当該収容ケースの内部側が肉厚であり外方側にかけて薄肉に傾斜している。前記の端部５６２は係合突起部５７０の傾斜部分に設けられている。右収容ケース５０３では、当該収容ケースの縁に端部５６３は位置する。係合突起部５７０の傾斜部分（端部５６２）と右収容ケース５０３の端部５６３の当接により規定の位置合わせを行うことができる。
【００６７】
次に、右収容ケース５０３内の液晶部材５１３と、奥収容ケース５０２内の液晶部材５１２に着目すると、各々の端部５６２，５６３、係合突起部５７０は、両液晶部材５１２，５１３の間に位置し、両液晶部材同士は近接している。そのため、遊技者側から見ると、奥収容ケース５０２の右副表示器５１Ｂ側の周囲（特に係合突起部５７０部分）は右収容ケース５０３との連接により覆われ、奥表示領域５５２は完全に露出することとなり、右表示領域５５３及び奥表示領域５５２は連続的に連接して見ることができる。つまり、表示器を連続するように配置することにより、表示領域の面積を拡張して画像が見えやすい状態を作り出すことができ、演出上の効果を上げることができる。
【００６８】
右副表示器５１Ｂの右収容ケース５０３では、当該収容ケースの後方、つまり遊技機の奥側に向けて収縮する湾曲部５７３が形成されている。既に自明なとおり、第一表示器は第一位置と第二位置との間を回動移動する。従って、湾曲部により、不要な接触は避けられ回動容易とすることができる。なお、図示を省略するが、左副表示器５１Ａにあっても右副表示器５１Ｂと同様に端部が形成され、第二表示器５２と連接している。上記の構成に代えて、第一表示器の側に係合突起部を設けること、さらには、各々の端部、係合突起部に適宜の磁石を配しても密着性を高めることもできる。いずれにしても第一表示器と第二表示器の正確な連接が可能となる。
【００６９】
図１２のフローチャートを用い遊技状態移行処理を説明する。当該処理の説明に当たり、遊技機における遊技状態とは、通常遊技状態、特別遊技状態、確率変動状態、時間短縮状態、待機画面表示状態、特典遊技状態等の各種の状態を示す。実施例の遊技機には少なくとも‘第一遊技状態’と‘第二遊技状態’の遊技状態が設定されている。この場合の第二遊技状態は、大当たり（特別遊技もしくは当たり遊技）が実行される状態であり、所定数（１３回、１５回）のラウンドが実行される状態である。第一遊技状態は前記の第二遊技状態、すなわち大当たり遊技以外の状態である。むろん、第一遊技状態と第二遊技状態の態様は、この例に限られることはなく、種々適宜である。
【００７０】
当該遊技状態移行処理（Ｓ１０）は主制御回路１４０にて実行される。まず、第一遊技状態であるか否か確認され（Ｓ１１）、現在第一遊技状態である場合、第二遊技状態に移行するための起因の有無が確認される（Ｓ１２）。実施例において、第二遊技状態への移行起因の有無とは特別図柄のぞろ目、いわゆる大当たりの有無（大当たり判定結果の有無）である。第二遊技状態への移行起因無しの場合そのまま終了し、移行起因有りの場合、第一遊技状態から第二遊技状態への移行が設定され（Ｓ１３）、モータ駆動信号ａが表示制御回路１５０に送信される（Ｓ１４）。
【００７１】
前記Ｓ１１にて第一遊技状態でないと確認される場合、すなわち現在第二遊技状態であるとき、第一遊技状態に移行するための起因の有無が確認される（Ｓ１５）。実施例において、第一遊技状態への移行起因の有無とは大当たり遊技である１３回あるいは１５回のラウンド数の終了となる。第一遊技状態への移行起因無しの場合そのまま終了し、移行起因有りの場合、第二遊技状態から第一遊技状態への移行が設定され（Ｓ１６）、モータ駆動信号ｂが表示制御回路１５０に送信される（Ｓ１７）。
【００７２】
続いて図１３のフローチャートを用いモータ駆動処理を説明する。同モータ駆動処理（Ｓ２０）は表示制御回路１５０にて実行される。はじめに、前出のモータ駆動信号ａの有無が確認され（Ｓ２１）、信号ａがある場合、モータ駆動処理Ａが実行される（Ｓ２２）。モータ駆動処理Ａとは第一表示器５１を第一位置から第二位置に回動させるためのモータの回転動作であり、モータ駆動信号ａとはそのための電流の流れ（向き）である。実施例の駆動モータは直流モータである。前出の図８を用いより具体的に述べると、左副表示器５１Ａにおいては、左検出接点２５１が左副表示器検出スイッチ２１３を離れて２１１に接触するまでの回転であり、右副表示器５１Ｂにおいては、右検出接点２５２が右副表示器検出スイッチ２１４を離れて２１２に接触するまでの回転である。
【００７３】
一方、モータ駆動信号ａがない場合、モータ駆動信号ｂの有無が確認され（Ｓ２３）、信号ｂがある場合、モータ駆動処理Ｂが実行される（Ｓ２４）。モータ駆動処理Ｂとは第一表示器５１を第二位置から第一位置に回動させるためのモータの回転動作であり、モータ駆動信号ｂとはそのための電流の流れ（向き）である。ちょうどモータ駆動信号ａと逆になる。前出の図８を用いより具体的に述べると、左副表示器５１Ａにおいては、左検出接点２５１が左副表示器検出スイッチ２１１を離れて２１３に接触するまでの回転であり、右副表示器５１Ｂにおいては、右検出接点２５２が右副表示器検出スイッチ２１２を離れて２１４に接触するまでの回転である。
【００７４】
なお、Ｓ２１、Ｓ２３においてモータ駆動に関する信号がないときは、駆動モータ２０３，２０４の駆動は行われることなく、現状の位置が維持され、そのまま同処理（Ｓ２０）は終了となる。
【００７５】
図１４は第一表示器が第一位置のときの画像表示例である。これは、第一遊技状態であって、特別図柄のぞろ目が成立していわゆる大当たりが確定した状況を示す。左表示領域５５１及び右表示領域５５３には『大当たり』の文字（図柄）が表示されている。すなわち、第一表示器５１（左副表示器５１Ａ及び右副表示器５１Ｂ）が表示装置９の前面に現れて第二表示器は完全に隠蔽され、両表示器同士は互いに重合している。
【００７６】
図１５は第一表示器が第二位置のときの画像表示例である。この場合は第二遊技状態であって、大当たり確定後の特典遊技が開始した状態を示す。すなわち、表示装置９内に、第一表示器５１（左副表示器５１Ａ及び右副表示器５１Ｂ）と、そのさらに奥側に第二表示器５２が現れている。図示から理解されるように、第二表示器５２の奥表示領域５５２と、その左右の左表示領域５５１及び右表示領域５５３は、連続的に連接し、一つながりの表示領域を構成している。これら３つの表示領域には『枠囲みのＲＯＵＮＤ１』の図形が表示されている。
【００７７】
上記のとおり、第一表示器（左副表示器５１Ａ及び右副表示器５１Ｂ）が第一位置もしくは第二位置となるかは、そのときの遊技状態に応じて選択される。従って、遊技状態に合わせた画像表示の演出が可能となる等の興趣を得ることができる。
【００７８】
本発明は、実施例に限定されるものではなく、発明の趣旨を逸脱しない範囲内において構成の一部を適宜変更して実施することができる。例えば、実施例では、第一表示器の回動は第一位置と第二位置の間で限定され、第二表示器の完全な隠蔽（第一位置）と完全な露出（第二位置）となっているが、当該第一，第二位置の中間位置に別途検出スイッチ等を設けることにより一旦停止させ、再度回動させることも可能である。この場合、第二表示器は一部分のみ隠蔽あるいは露出となる。従って、第一表示器の回動態様により、リーチの予告、大当たり確率の予告等、各種遊技情報の告知に用いることができ、遊技演出上の効果を高めることができる。また、第一位置と第二位置とを各々第一表示器によって第二表示器を完全に隠蔽する位置と完全に露出する位置に設定しているが、これに限られるものではない。例えば、第一位置と第二位置とを第一表示器によって第二表示器を完全に隠蔽する位置と完全に露出する位置の間に設定することにより、第一位置と第二位置との間で第一表示器による第二表示器の隠蔽する度合いを変化させる構成としてもよい。
【００７９】
実施例では、第一表示器を左右の副表示器として合計３器の表示器とし、特に副表示器は共に左右方向の回動する扉として構成されている。ここで、表示器の数は何ら限定されることはなく、第一表示器と第二表示器の合計を２器とすることもできる。さらには、より多数の表示器とすることも可能である。併せて、第一表示器の回動の方向を上下の回動とすることもできる。また、複数の副表示器の形状を共通とする他、互いに異ならせることもでき、適宜である。本実施例では、各表示器の端部同士を連接させることにより各表示領域を連続的に（一連となるように）構成しているが、これに限られるものではない。例えば、少なくとも各表示器の一部を連接させることにより、各表示領域は連続的に（一連となるように）構成することもできる。さらに、第一表示器と第二表示器とを略Ｔ字状となるような位置とすることによって、第一表示器の端部は第二表示器の表示領域の部分と連接し、各表示領域を連続的とすることもできる。
【００８０】
この他、第一表示器の移動の態様として、公知のラックとピニオン等を組み合わせて用いることにより、遊技者側から見て、第一表示器が第二表示器の手前を左右あるいは上下にスライド移動（摺動）させることもできる。よって、同様に遊技演出上の効果を高めることができる。
【００８１】
以上述べてきたとおり、本発明により趣向性を向上させた表示装置を実現することができる。従前の遊技機にあっては、その表示装置は画一的である。それに比べて、実施例のように、第一遊技状態と第二遊技状態との間で表示装置内の表示器の位置が変化することによって、遊技者が視認可能な表示面積は変更される。このため、遊技者の遊技に対する興趣を向上させることができる。
【００８２】
加えて、従前の遊技機であれば、今まで以上に大きな表示領域を有する表示装置を遊技領域（遊技盤）に配置しようとする場合、種々の機構等の関係から配置する場所の制約を受ける。このため、比較的大きな表示領域を備えた表示装置の配置は困難である。この点に対し、本発明は実施例のとおり、第一表示器に回動移動を伴わせながら奥側に移動させられるため、少なくとも２の表示領域を連続的とすることが可能である。従って、遊技領域において表示装置の配置場所が制限されるような場合であっても、その内部に組み込まれている表示領域を比較的大きくすることが可能となる。
【００８３】
本発明は、パチンコ遊技機の実施例を用いて説明したが、スロットマシン遊技機、アレンジボール遊技機等の適宜の遊技機に適用することができる。
【図面の簡単な説明】
【００８４】
【図１】この発明の一実施例に係る遊技機全体の正面図である。
【図２】同遊技機全体の裏面図である。
【図３】同遊技機の制御系を簡略に示すブロック図である。
【図４】第一表示器が第一位置にある遊技盤の全体正面図である。
【図５】第一表示器が第二位置にある遊技盤の全体正面図である。
【図６】図柄表示装置の背面斜視図である。
【図７】図柄表示装置の分解斜視図である。
【図８】図５のＡ−Ａ線における図柄表示装置の構造断面図である。
【図９】図柄表示装置の左側面図である。
【図１０】図柄表示装置の底面側である。
【図１１】図８のＱ部分の部分拡大図である。
【図１２】遊技状態移行処理に関するフローチャートである。
【図１３】モータ駆動処理に関するフローチャートである。
【図１４】第一表示器が第一位置のときの画像表示例である。
【図１５】第一表示器が第二位置のときの画像表示例である。
【符号の説明】
【００８５】
１  遊技機
３  遊技盤
９  表示装置
１１  始動入賞口
５１  第一表示器
５１Ａ  左副表示器
５１Ｂ  右副表示器
５２  第二表示器
２００  図柄表示装置
２０３  左駆動モータ
２０４  右駆動モータ
２１１，２１３  左副表示器検出スイッチ
２１２，２１４  右副表示器検出スイッチ
２２１，２２２，２２３，２２４  回動軸
５０１  左収容ケース
５０２  奥収容ケース
５０３  右収容ケース
５５１  左表示領域
５５２  奥表示領域
５５３  右表示領域
【図１】
2006304848.tif 000003
【図２】
2006304848.tif 000004
【図３】
2006304848.tif 000005
【図４】
2006304848.tif 000006
【図５】
2006304848.tif 000007
【図６】
2006304848.tif 000008
【図７】
2006304848.tif 000009
【図８】
2006304848.tif 000010
【図９】
2006304848.tif 000011
【図１０】
2006304848.tif 000012
【図１１】
2006304848.tif 000013
【図１２】
2006304848.tif 000014
【図１３】
2006304848.tif 000015
【図１４】
2006304848.tif 000016
【図１５】
2006304848.tif 000017